(57)【要約】【課題】親局装置から送出された音声情報のうち必要な部分だけを録音することによって、子局装置が有する録音蓄積容量を有効に活用することのできる同報通信システムおよび同報通信方法を提供すること。【解決手段】親局操作卓は、通報開始命令４１を送出し、「録音否」の録音制御可否情報５２ｂを含む上りコールサイン１４１ａを送出する。戸別受信機は、録音制御可否情報が録音否のため録音は行わず、上りコールサインを拡声する。次に、親局操作卓は、「録音可」の録音制御可否情報５２ａを含む通報情報６１を送出する。戸別受信機は、録音制御可否情報が録音可のため通報を拡声すると共に録音する。次に、親局操作卓は、「録音否」の録音制御可否情報５２ｂを含む下りコールサイン１４１ｂを送出する。戸別受信機は、録音制御可否情報が録音否のため録音は行わず、下りコールサインを拡声する。最後に、親局操作卓は通報終了命令４３を送出する。【選択図】    図２
2004187073.tif 000002
【特許請求の範囲】
【請求項１】
親局装置から少なくとも１つの子局装置に同報通信を行う同報通信システムであって、
前記親局装置は、
前記子局装置による録音可または録音否の録音制御可否情報を各音声情報に付加する音声情報付加手段と、
前記音声情報を前記子局装置に送信する音声情報送信手段と、を有し、
前記子局装置は、
前記親局装置から送信された前記録音制御可否情報が付加された音声情報を受信する音声情報受信手段と、
当該付加された録音制御可否情報が録音可または録音否かを判別する録音可否判別手段と、
録音可の録音制御可否情報が付加された音声情報を録音する音声情報録音手段と、
スピーカによる前記音声情報の拡声処理を行う音声処理手段と、を有したことを特徴とする同報通信システム。
【請求項２】
前記子局装置において、前記録音可否判別手段によって音声情報に付加された録音制御可否情報が録音否と判別されると、前記音声処理手段が前記スピーカによる前記音声情報の拡声処理のみを行うことを特徴とする請求項１記載の同報通信システム。
【請求項３】
前記親局装置は、音声情報毎に録音制御可否情報が録音可または録音否であるかを予め記憶した録音制御可否情報設定記憶手段を有したことを特徴とする請求項１または２記載の同報通信システム。
【請求項４】
前記音声情報は、通報内容、メッセージまたはコールサインであることを特徴とする請求項１、２または３記載の同報通信システム。
【請求項５】
請求項１〜４のいずれか一項記載の同報通信システムにおける前記親局装置を構成する通信装置。
【請求項６】
請求項１〜４のいずれか一項記載の同報通信システムにおける前記子局装置を構成する通信端末。
【請求項７】
親局装置から少なくとも１つの子局装置に同報通信を行う同報通信方法であって、
前記親局装置は、前記子局装置による録音可または録音否の録音制御可否情報を各音声情報に付加して前記子局装置に送信し、
前記子局装置は、前記親局装置から送信された録音制御可否情報が付加された音声情報を受信すると、当該付加された録音制御可否情報が録音可か録音否かを判別し、録音可であれば前記音声情報を音声情報録音手段に録音すると共にスピーカによる拡声処理を行うことを特徴とする同報通信方法。
【請求項８】
前記子局装置は、受信した音声情報に付加された録音制御可否情報が録音否であれば、前記スピーカによる前記音声情報の拡声処理を行うことを特徴とする請求項７記載の同報通信方法。
【請求項９】
前記親局装置において、録音制御可否情報は音声情報毎に予め設定されていることを特徴とする請求項７または８記載の同報通信方法。
【請求項１０】
前記音声情報は、通報内容、メッセージまたはコールサインであることを特徴とする請求項７、８または９記載の同報通信方法。
【発明の詳細な説明】
【０００１】
【発明の属する技術分野】
本発明は、子局装置が親局操作卓からの録音制御可否情報に従って通報内容を録音制御する同報通信システムおよび同報通信方法に関する。
【０００２】
【従来の技術】
防災等の目的で設置される同報通信システムは、主に親局操作卓と戸別受信機とから構成されている。図６に、従来の同報通信システムを構成する親局操作卓（ａ）および戸別受信機（ｂ）のブロック図を示す。従来の親局操作卓１００は、同図（ａ）に示すように、音源管理テーブル１１１Ｐおよびメッセージ録音音源１１３を有する音声蓄積部１３Ｐと、通報制御部１２１および録音再生制御部１２２を有する制御部１２Ｐと、コールサイン音源１３１を有する音声制御部１３と、スピーカ１４と、マイク１５と、表示部１６と、操作部１７とを備えて構成されている。
【０００３】
音声蓄積部１３Ｐは、通報のためのメッセージ音源を予め録音しておき、通報時にメッセージを再生するものであり、メッセージ録音音源１１３と、メッセージ録音音源１１３を管理するための音源管理テーブル１１１Ｐとを有している。また、制御部１２Ｐは、通報のための通信制御といった親局操作卓１００の全ての状態管理を行うものであり、通報のための状態管理および各種制御情報の送出を制御する通報制御部１２１と、音声蓄積部１３Ｐによる録音、再生、停止、試聴を制御する録音再生制御部１２２とを有している。また、音声制御部１３は、音声の音量やミキシングを行うものであり、「ピンポンパンポン」といったコールサインの音源であるコールサイン音源１３１を有している。
【０００４】
また、スピーカ１４は、メッセージの試聴時や通報時に音源を再生するものである。また、マイク１５は、通報時やメッセージ録音時に音声を入力するためのものである。また、表示部１６は、通報の実施状況等を表示するものである。また、操作部１７は、通報等を行うために親局操作卓１００を操作するものである。なお、音声制御部１３には、親局操作卓１００から送出される通報やメッセージ、コールサイン等の信号を変調して戸別受信機に無線で送信するための無線部２０が接続されている。
【０００５】
一方、従来の戸別受信機３００は、同図（ｂ）に示すように、受信部３１と、音声制御部３２と、通報受信制御部３３１および録音再生制御部３３２を有する制御部３３Ｐと、スピーカ３４と、音声録音再生部３５とを備えて構成されている。
【０００６】
受信部３１は、無線部２０によって送信された親局操作卓１００からの信号を受信して復調するものである。また、音声制御部３２は、受信部３１で復調された通報やメッセージ、コールサイン等の音量を制御するものである。また、制御部３３Ｐは、受信部で復調された親局操作卓１００から送信された制御情報に従って当該戸別受信機３００の状態を制御するものであり、制御情報の内容に応じて各種状態管理を行う通報受信制御部３３１と、制御情報に従って通報等を音声録音再生部３５に録音したり、音声録音再生部３５に録音された通報等を再生するといった動作を制御する録音再生制御部３３２とを有している。また、スピーカ３４は、通報等を拡声するものである。また、音声録音再生部３５は、録音再生制御部３３２からの指示に従って通報等を録音したり再生するものである。
【０００７】
以上説明した構成の親局操作卓１００および戸別受信機３００を備えた従来の同報通信システムでは、親局操作卓１００から送出される通報開始命令に含まれている録音制御情報に従って、録音制御情報が録音を指示する内容であれば戸別受信機３００が通報等を自動的に録音している。図７は、従来の親局操作卓１００から送出される信号の内容を時系列に表した説明図である。同図に示すように、親局操作卓１００から通報が行われるとき、まず、録音制御情報５１を含む通報開始命令４１が親局操作卓１００から送出される。
【０００８】
通報開始命令４１を受け取った戸別受信機３００は、録音制御情報５１の内容が録音を指示するものであれば録音を開始し、親局操作卓１００から通報終了命令４３を受け取るまで録音を続ける。最後に、親局操作卓１００は通報終了命令４３を戸別受信機３００に送出し、戸別受信機３００は録音を終了する。したがって、戸別受信機３００には、通報開始命令４１後の上りコールサイン４４、通報情報４２、通報終了命令４３前の下りコールサイン４５が録音される。
【０００９】
【特許文献１】
特開平５−１４２２３公報
【００１０】
【発明が解決しようとする課題】
従来の戸別受信機３００が有する音声録音再生部３５による録音可能な時間には、コスト等の関係から制限がある。すなわち、音声録音再生部３５の録音蓄積容量は限られている。しかしながら、上記説明したように、戸別受信機３００には通報本文以外にコールサインも録音されるため、音声録音再生部３５の容量が無駄に消費されてしまうという問題点があった。
【００１１】
このような場合、例えば残りの容量が少ない状態のときに上りコールサインから録音が開始されてしまうと、通報本文を録音中に容量がなくなり肝心な部分が録音されないといったこともあり得る。したがって、音声録音再生部３５の容量を節約するために、通報本文といった本当に必要な部分のみを録音可能なシステムが望まれていた。
【００１２】
本発明は、上記従来の問題点および要望に鑑みてなされたものであって、親局装置から送出された音声情報のうち必要な部分だけを録音することによって、子局装置が有する録音蓄積容量を有効に活用することのできる同報通信システムおよび同報通信方法を提供することを目的としている。
【００１３】
【課題を解決するための手段】
上記目的を達成するために、本発明に係る同報通信システムは、親局装置から少なくとも１つの子局装置に同報通信を行う同報通信システムであって、前記親局装置は、前記子局装置による録音可または録音否の録音制御可否情報を各音声情報に付加する音声情報付加手段と、前記音声情報を前記子局装置に送信する音声情報送信手段と、を有し、前記子局装置は、前記親局装置から送信された前記録音制御可否情報が付加された音声情報を受信する音声情報受信手段と、当該付加された録音制御可否情報が録音可または録音否かを判別する録音可否判別手段と、録音可の録音制御可否情報が付加された音声情報を録音する音声情報録音手段と、スピーカによる前記音声情報の拡声処理を行う音声処理手段と、を有している。したがって、親局装置から送出された音声情報のうち必要な部分だけを録音することができるため、子局装置が有する音声情報録音手段の録音蓄積容量を有効に活用することができる。
【００１４】
また、本発明に係る同報通信システムは、前記子局装置において、前記録音可否判別手段によって音声情報に付加された録音制御可否情報が録音否と判別されると、前記音声処理手段が前記スピーカによる前記音声情報の拡声処理のみを行うことが望ましい。
【００１５】
また、本発明に係る同報通信システムは、前記親局装置は、音声情報毎に録音制御可否情報が録音可または録音否であるかを予め記憶した録音制御可否情報設定記憶手段を有していることが望ましい。
【００１６】
また、本発明に係る同報通信システムは、前記音声情報は、通報内容、メッセージまたはコールサインであることが望ましい。
【００１７】
また、本発明に係る通信装置は、請求項１〜４のいずれか一項記載の同報通信システムにおける前記親局装置を構成するものである。
【００１８】
また、本発明に係る通信端末は、請求項１〜４のいずれか一項記載の同報通信システムにおける前記子局装置を構成するものである。
【００１９】
また、本発明に係る同報通信方法は、親局装置から少なくとも１つの子局装置に同報通信を行う同報通信方法であって、前記親局装置は、前記子局装置による録音可または録音否の録音制御可否情報を各音声情報に付加して前記子局装置に送信し、前記子局装置は、前記親局装置から送信された録音制御可否情報が付加された音声情報を受信すると、当該付加された録音制御可否情報が録音可か録音否かを判別し、録音可であれば前記音声情報を音声情報録音手段に録音すると共にスピーカによる拡声処理を行う。
【００２０】
また、本発明に係る同報通信方法は、前記子局装置は、受信した音声情報に付加された録音制御可否情報が録音否であれば、前記スピーカによる前記音声情報の拡声処理を行う。
【００２１】
また、本発明に係る同報通信方法は、前記親局装置において、録音制御可否情報は音声情報毎に予め設定されている。
【００２２】
さらに、本発明に係る同報通信方法は、前記音声情報は、通報内容、メッセージまたはコールサインである。
【００２３】
【発明の実施の形態】
以下、本発明に係る同報通信システムの実施の形態について、図面を参照して詳細に説明する。
防災等の目的で設置される本実施形態の同報通信システムは、特許請求の範囲の親局装置に該当する親局操作卓と、子局装置に該当する戸別受信機とから主に構成されている。親局操作卓は例えば役場に設置され、戸別受信機は例えば各家庭に設置されており、親局操作卓からは通報やメッセージ、コールサイン等が各戸別受信機に無線送信される。なお、コールサインとは、通報やメッセージの前後にながれる「ピンポンパンポン」等といった通知音である。
【００２４】
図１に、本実施形態の同報通信システムを構成する親局操作卓（ａ）および戸別受信機（ｂ）のブロック図を示す。同図において、図６（従来技術）と重複する部分には同一の符号が付されている。
【００２５】
本実施形態の親局操作卓１０は、図１（ａ）に示すように、特許請求の範囲の録音制御可否情報設定記憶手段に該当する音源管理テーブル１１１およびメッセージ録音音源１１３を有する音声蓄積部１１と、通報制御部１２１、録音再生制御部１２２および音声情報付加手段に該当する音源録音制御部１２３を有する制御部１２と、コールサイン音源１３１を有する音声制御部１３と、スピーカ１４と、マイク１５と、表示部１６と、操作部１７とを備えて構成されている。
【００２６】
以下、本実施形態の親局操作卓１０が有する各構成要素について説明する。
まず、音声蓄積部１１は、通報のためのメッセージ音源を予め録音しておき、通報時にメッセージを再生するものであり、メッセージ録音音源１１３と、メッセージ録音音源１１３を管理するための音源管理テーブル１１１とを有している。なお、本実施形態の音源管理テーブル１１１には、戸別受信機３０において録音を行うか否かを示す録音制御可否情報（録音可または録音否）１１５がメッセージ毎に設定されている。
【００２７】
また、制御部１２は、通報のための通信制御といった親局操作卓１０の全ての状態管理を行うものであり、通報のための状態管理および各種制御情報の送出を制御する通報制御部１２１と、音声蓄積部１１による録音、再生、停止、試聴を制御する録音再生制御部１２２と、通報やメッセージ、コールサインに録音制御可否情報を付加するための音源録音制御部１２３とを有している。また、音声制御部１３は、音声の音量やミキシングを行うものであり、コールサイン音源１３１を有している。
【００２８】
また、スピーカ１４は、メッセージの試聴時や通報時に音源を再生するものである。また、マイク１５は、通報時やメッセージ録音時に音声を入力するためのものである。また、表示部１６は、通報の実施状況等を表示するものである。また、操作部１７は、通報等を行うために親局操作卓１０を操作するものである。なお、音声制御部１３には、親局操作卓１０から送出される通報やメッセージ、コールサイン等の信号を変調して戸別受信機に無線で送信するための、特許請求の範囲の音声情報送信手段に該当する無線部２０が接続されている。
【００２９】
一方、本実施形態の戸別受信機３０は、図１（ｂ）に示すように、特許請求の範囲の音声情報受信手段に該当する受信部３１と、音声処理手段に該当する音声制御部３２と、通報受信制御部３３１、音声情報録音手段に該当する録音再生制御部３３２および録音可否判別手段に該当する音源録音可否制御部３３３を有する制御部３３と、スピーカ３４と、音声録音再生部３５とを備えて構成されている。
【００３０】
以下、本実施形態の戸別受信機３０が有する各構成要素について説明する。
まず、受信部３１は、無線部２０によって送信された親局操作卓１０からの信号を受信して復調するものである。また、音声制御部３２は、受信部３１で復調された通報やメッセージ、コールサイン等の音量を制御するものである。また、制御部３３は、受信部で復調された親局操作卓１０から送信された制御情報に従って当該戸別受信機３０の状態を制御するものである。
【００３１】
なお、制御部３３は、制御情報の内容に応じて各種状態管理を行う通報受信制御部３３１と、録音制御可否情報が録音可または録音否かを判断して、その結果を録音再生制御部３３２に送る音源録音可否制御部３３３と、制御情報および音源録音可否制御部３３３から送られた結果に従って通報やメッセージを音声録音再生部３５に録音したり、音声録音再生部３５に録音された通報等を再生するといった動作を制御する録音再生制御部３３２とを有している。また、スピーカ３４は、通報等を拡声するものである。また、音声録音再生部３５は、録音再生制御部３３２からの指示に従って通報等を録音したり再生するものである。
【００３２】
以上説明した構成の親局操作卓１０および戸別受信機３０を備えた本実施形態の同報通信システムでは、親局操作卓１０から送出された通報やメッセージ中に含まれている録音制御可否情報に従って、録音制御可否情報が「録音可」であれば戸別受信機３０は通報またはメッセージを録音し、「録音否」であれば録音しないでスピーカ３４からの拡声のみを行う。
【００３３】
図２は、本実施形態の親局操作卓１０から送出される信号の内容を時系列に表した説明図である。同図に示すように、親局操作卓１０から通報が行われるとき、まず、録音制御情報５１を含む通報開始命令４１が親局操作卓１０から送出される。通報開始命令４１を受け取った戸別受信機３０は、録音制御情報の内容が録音を指示するものであれば録音を行う準備をする。そして、親局操作卓１０は、通報開始命令に続いて、「録音否」の録音制御可否情報５２ｂを含む上りコールサイン１４１ａを送出する。上りコールサイン１４１ａを受け取った戸別受信機３０は、録音制御可否情報５２ｂが「録音否」のため録音は行わず、スピーカ３４から上りコールサインを拡声する。
【００３４】
次に、親局操作卓１０は、「録音可」の録音制御可否情報５２ａを含む通報情報６１を送出する。通報情報６１を受け取った戸別受信機３０は、録音制御可否情報５２ａが「録音可」のため録音を行い、かつ、スピーカ３４から通報を拡声する。次に、親局操作卓１０は、通報情報６１に続いて、「録音否」の録音制御可否情報５２ｂを含む下りコールサイン１４１ｂを送出する。下りコールサイン１４１ｂを受け取った戸別受信機３０は、録音制御可否情報５２ｂが「録音否」のため録音は行わず、スピーカ３４から下りコールサインを拡声する。最後に、親局操作卓１０は通報終了命令４３を戸別受信機３０に送出する。したがって、戸別受信機３０には通報情報６１のみが録音される。
【００３５】
図３は、本実施形態の親局操作卓１０から送出される信号の内容を時系列に表した説明図である。同図に示すように、親局操作卓１０からメッセージの送出が行われるとき、まず、録音制御情報５１を含む通報開始命令４１が親局操作卓１０から送出される。通報開始命令４１を受け取った戸別受信機３０は、録音制御情報の内容が録音を指示するものであれば録音を行う準備をする。そして、親局操作卓１０は、通報開始命令に続いて、「録音可」の録音制御可否情報５２ａを含む第１のメッセージ１３２ａを送出する。第１のメッセージ１３２ａを受け取った戸別受信機３０は、録音制御可否情報５２ａが「録音可」のため録音を行い、かつ、スピーカ３４から第１のメッセージ１３２ａを拡声する。
【００３６】
次に、親局操作卓１０は、「録音可」の録音制御可否情報５２ａを含む第２のメッセージ１３２ｂを送出する。第２のメッセージ１３２ｂを受け取った戸別受信機３０は、録音制御可否情報５２ａが「録音可」のため録音を行い、かつ、スピーカ３４から第２のメッセージ１３２ｂを拡声する。次に、親局操作卓１０は、「録音否」の録音制御可否情報５２ｂを含む第３のメッセージ１３２ｃを送出する。第３のメッセージ１３２ｃを受け取った戸別受信機３０は、録音制御可否情報５２ｂが「録音否」のため録音は行わず、スピーカ３４から第３のメッセージ１３２ｃを拡声する。最後に、親局操作卓１０は通報終了命令４３を戸別受信機３０に送出する。したがって、戸別受信機３０には第１のメッセージ１３２ａおよび第２のメッセージ１３２ｂのみが録音される。
【００３７】
次に、本実施形態の親局操作卓１０の動作について、図４を参照して説明する。図４は、メッセージ送出時における親局操作卓１０の動作について説明するフローチャートである。同図に示すように、親局操作卓１０はまず通報開始命令を送出する（ステップＳ１０１）。そして、戸別受信機３０で録音させるかを判断し（ステップＳ１０３）、録音させるのであれば録音制御情報の内容をその旨（ＯＮ）とし（ステップＳ１０５）、録音させないのであれば録音制御情報の内容をその旨（ＯＦＦ）とする（ステップＳ１０７）。
【００３８】
次に、メッセージ音源を送出するのか、生放送で音声を送出するのかを判断し（ステップＳ１０９）、メッセージ音源の送出であればステップＳ１１１に進み、生放送での音声送出であればステップＳ１１３に進んで生放送での音声を送出する。ステップＳ１１１ではメッセージを戸別受信機３０で録音させるか否かを判断し、録音させるのであれば録音制御可否情報を録音可とし（ステップＳ１１５）、録音させないのであれば録音制御可否情報を録音否とする（ステップＳ１１７）。ステップＳ１１５またはＳ１１７の後はメッセージ音源を送出し（ステップＳ１１９，Ｓ１２１）、次のメッセージ音源があるかを判断する（ステップＳ１２３）。次のメッセージ音源があればステップＳ１１１に戻り、なければ通報終了命令を送出して親局操作卓１０における一連の処理を終了する（ステップＳ１２５）。
【００３９】
次に、本実施形態の戸別受信機３０の動作について、図５を参照して説明する。図５は、メッセージ受信時における戸別受信機３０の動作について説明するフローチャートである。同図に示すように、戸別受信機３０は、親局操作卓１０から通報開始命令を受信する（ステップＳ２０１）と、録音制御情報がＯＮ（録音させる）かＯＦＦ（録音させない）かを判別する（ステップＳ２０３）。録音制御情報がＯＮであればステップＳ２０５に進み、ＯＦＦであればステップＳ２０７に進む。ステップＳ２０７ではメッセージを拡声し、親局操作卓１０から通報終了命令を受信する（ステップＳ２０９）と戸別受信機３０における一連の処理を終了する。
【００４０】
一方、ステップＳ２０５では通報録音開始を準備する。そして、受信したメッセージに録音制御可否情報が付加されているかを判断し（ステップＳ２１１）、録音制御可否情報が付加されていればステップＳ２１３に進み、付加されていなければステップＳ２１５に進む。ステップＳ２１５ではメッセージを拡声すると共に当該メッセージを録音した後、親局操作卓１０から通報終了命令を受信する（ステップＳ２０９）と戸別受信機３０における一連の処理を終了する。
【００４１】
一方、ステップＳ２１３では録音制御可否情報が録音可か録音否かを判断し、録音可であればステップＳ２１７に進み、録音否であればステップＳ２１９に進む。ステップＳ２１７ではメッセージを拡声すると共に当該メッセージを録音し、ステップＳ２１９ではメッセージを拡声するだけ録音は行わない。ステップＳ２１７またはＳ２１９の後は次のメッセージ音源があるかを判断し（ステップＳ２２１）、あればステップＳ２１３に戻り、ない場合は親局操作卓１０から通報終了命令を受信した（ステップＳ２０９）後、戸別受信機３０における一連の処理を終了する。
【００４２】
以上説明したように、本実施形態の同報通信システムでは、親局操作卓１０から送出される通報やメッセージ、コールサインのそれぞれに録音制御可否情報が付加され、戸別受信機３０は、録音制御可否情報が「録音可」の通報等のみを録音する。したがって、親局操作卓１０から送出された情報のうち本当に必要な通報内容だけを録音することができるため、戸別受信機３０が有する音声録音再生部３５の限られた録音蓄積容量を有効に活用することができる。なお、本実施形態の同報通信システムは、無線方式がアナログであってもデジタルであっても同様な方式で実現することができ、同様の効果が得られる。
【００４３】
【発明の効果】
以上説明したように、本発明に係る同報通信システムおよび同報通信方法によれば、親局装置から送出された音声情報のうち必要な部分だけを録音することができるため、子局装置が有する音声情報録音手段の録音蓄積容量を有効に活用することができる。
【図面の簡単な説明】
【図１】本発明に係る一実施形態の同報通信システムを構成する親局操作卓（ａ）および戸別受信機（ｂ）のブロック図
【図２】一実施形態の親局操作卓から送出される信号の内容を時系列に表した説明図
【図３】一実施形態の親局操作卓１０から送出される信号の内容を時系列に表した説明図
【図４】メッセージ送出時における親局操作卓１０の動作について説明するフローチャート
【図５】メッセージ受信時における戸別受信機３０の動作について説明するフローチャート
【図６】同報通信システムを構成する従来の親局操作卓（ａ）および戸別受信機（ｂ）のブロック図
【図７】従来の親局操作卓１０から送出される信号の内容を時系列に表した説明図
【符号の説明】
１０  親局操作卓
１１１  音源管理テーブル
１１３  メッセージ録音音源
１１  音声蓄積部
１２１  通報制御部
１２２  録音再生制御部
１２３  音源録音制御部
１２  制御部
１３１  コールサイン音源
１３  音声制御部
１４  スピーカ
１５  マイク
１６  表示部
１７  操作部
２０  無線部
３０  戸別受信機
３１  受信部
３２  音声制御部
３３１  通報受信制御部
３３２  録音再生制御部
３３３  音源録音可否制御部
３３  制御部
３４  スピーカ
３５  音声録音再生部
【図１】
2004187073.tif 000003
【図２】
2004187073.tif 000004
【図３】
2004187073.tif 000005
【図４】
2004187073.tif 000006
【図５】
2004187073.tif 000007
【図６】
2004187073.tif 000008
【図７】
2004187073.tif 000009